(57)【要約】【課題】  機械的除霜によってもほぼ完全に霜を除去できるようにする。【解決手段】  所定の間隙を有して並設される多数のフィン１，１・・と該フィン１，１・・を貫通する伝熱管２とによって構成されたクロスフィンコイル型の熱交換器における前記各フィン１の表面に付着した霜を機械的に除去する熱交換器の除霜装置において、前記フィン１，１・・の間における前縁部から最奥部までの霜を除去できる機械的除霜手段３と、該機械的除霜手段３を前記フィン１，１・・の間隙に沿って移動させる駆動手段４とによって構成して、機械的除霜手段３によりフィン１，１・・の間における前縁部から最奥部にまで至る霜が除去されるようにしている。【選択図】        図４
2010084985.tif 000002
【特許請求の範囲】
【請求項１】
所定の間隙を有して並設される多数のフィンと該フィンを貫通する伝熱管とによって構成されたクロスフィンコイル型の熱交換器における前記各フィンの表面に付着した霜を機械的に除去する熱交換器の除霜装置であって、前記フィンの間における最奥部の霜を除去できる機械的除霜手段と、該機械的除霜手段を前記フィンの間隙に沿って移動させる駆動手段とによって構成したことを特徴とする熱交換器の除霜装置。
【請求項２】
前記機械的除霜手段を、前記駆動手段により移動される支持体に多数の毛を植生してなるブラシにより構成したことを特徴とする請求項１記載の熱交換器の除霜装置。
【請求項３】
前記機械的除霜手段を、前記駆動手段により移動される支持体に多数のフィン間に入り込み得る厚み・大きさの剛体を植生してなる櫛歯により構成したことを特徴とする請求項１記載の熱交換器の除霜装置。
【請求項４】
前記支持体を回転駆動可能な回転体により構成したことを特徴とする請求項２および３のいずれか一項記載の熱交換器の除霜装置。
【請求項５】
前記駆動手段を、前記毛または櫛歯をフィンの間に突き刺すような動作をさせるものとしたことを特徴とする請求項２および３のいずれか一項記載の熱交換器の除霜装置。
【請求項６】
前記伝熱管を、所定間隔で複数列に配列するとともに、前記機械的除霜手段の毛または櫛歯を、複数列熱交換器の最奥部にまで到達する長さとしたことを特徴とする請求項５記載の熱交換器の除霜装置。
【請求項７】
前記伝熱管を、所定間隔で一列に配列するとともに、前記機械的除霜手段を構成する回転体の回転速度と、前記駆動手段による移動速度とを同期させるようにしたことを特徴とする請求項４記載の熱交換器の除霜装置。
【請求項８】
前記熱交換器の前面および背面には、前記機械的除霜手段を配設したことを特徴とする請求項４および７のいずれか一項記載の熱交換器の除霜装置。
【請求項９】
前記伝熱管を、所定間隔で二列に配列するとともに、前記機械的除霜手段を構成する回転体の回転速度と前記駆動手段の移動速度との同期速度として、一列目の伝熱管列と二列目の伝熱管列とにそれぞれ同期させるのに必要な角速度の平均値を用いるようにしたことを特徴とする請求項４、７および８のいずれか一項記載の熱交換器の除霜装置。
【請求項１０】
前記伝熱管を、所定間隔で一列に配列してなる熱交換器を、所定間隔で複数段設けるとともに、一列熱交換器と機械的除霜手段との組み合わせを複数段設けたことを特徴とする請求項５、７および８のいずれか一項記載の熱交換器の除霜装置。
【発明の詳細な説明】
【技術分野】
【０００１】
本願発明は、クロスフィンコイル型の熱交換器の除霜装置に関し、さらに詳しくは機械的除霜手段からなる除霜装置に関するものである。
【背景技術】
【０００２】
冷凍冷蔵庫の蒸発器や暖房運転時のヒートポンプ式エアコンの室外熱交換器は、所定の間隙を有して並設される多数のフィンと該フィンを貫通する伝熱管とによって構成されたクロスフィンコイル型の熱交換器とされており、伝熱管内を流れる冷媒とフィン間や伝熱管外を流れる空気とが熱交換を行う（即ち、空気が冷却され、冷媒は熱を得る）ようになっている。このような熱交換器が、流入する空気の温度が０℃以下の条件、あるいは流入する空気の温度が０℃以上であってもフィンや伝熱管の表面温度が０℃以下の条件で使用される場合には、空気中の水滴や氷晶がより低温なフィンや伝熱管の表面に凝結・付着して霜が生成される。該霜の成長に伴い、熱抵抗の増加や空気流路の閉塞が起こって熱交換性能が次第に低下するという不具合が生ずる。このような不具合を解消するために、熱交換器に生ずる霜を除去する除霜が行われる。
【０００３】
上記除霜方法としては、冷凍冷蔵庫の蒸発器では電気ヒータにより、エアコンの室外熱交換器ではサイクルの逆運転により霜を融解させる方式のものが知られている。しかしながら、このような除霜方式では、完全な除霜ができるものの、除霜時には通常の運転が中断されるという新たな不具合が発生し、大部分の霜を完全に融解除去するためには多くの余分な電力を消費しなければならなくなるという大きな欠点がある。
【０００４】
そこで、このような融解による一般的な除霜方式に代わり、実用性があり且つ省電力な除霜方式がいくつか提案されている。例えば、フィンや伝熱管の表面に難着氷性の被膜を形成して着霜量を減らす方法がある（例えば、特許文献１参照）。
【０００５】
【特許文献１】特開平６−１１７７３４号公報
【発明の開示】
【発明が解決しようとする課題】
【０００６】
上記特許文献１に開示されている方法の場合、除霜のために余分な電力消費を必要とせず、ある程度の効果も得られるという利点があるが、除霜効果が現れるには難着氷性を極限近くまで高めた被膜の場合であり、そのような高い難着氷性をもつ被膜は耐久性に劣るという大きな欠点があり、また、被膜材の多くは熱伝導率が低いため、厚くなると熱交換性能に悪影響を及ぼす等の問題もある。
【０００７】
ところで、上記した着霜のメカニズムついて考察したところ、図１３において０）〜７）に示すように着霜が進行することが分かった。
【０００８】
即ち、０）においてフィン１が冷却が開始されると、１）において結露が生じ、さらに冷却が進むと、２）に示すように、結露した水が凍結して氷ができ、さらに冷却が進むと、３）に示すように、氷の表面に針状部Ａが生成し、さらに冷却が進むと、４）に示すように、針状部Ａが大きく成長する。この状態から、さらに冷却が進むと、５）に示すように、針状部Ａの根元部である氷が再結晶して大きくなり、ついで、６）に示すように、針状部Ａがさらに大きく成長し、この状態で冷却がさらに進むと、７）に示すように、針状部Ａの根元部である氷が再結晶してさらに大きくなる。その後は、同様な経過をたどって針状部Ａの成長が進む。この針状部Ａの成長により、熱交換器における通風性能（換言すれば、熱交換性能）が阻害されることとなる。
【０００９】
そこで、本願発明者らは、図１３における４）から５）への進行を阻止すべく、機械的除霜により針状部Ａを除去して、フィン１の表面を、図１３における２）の状態に戻すことにより、熱交換器の通風性能（換言すれば、熱交換性能）を回復させようとして本願発明をなすに至ったのである。なお、クロスフィンコイル型の熱交換器においては、通風が確保されれば、熱交換性能を維持することができるという事実がある。
【００１０】
本願発明は、上記の点に鑑みてなされたもので、機械的除霜によってもほぼ完全に霜を除去できるようにすることを目的としている。
【課題を解決するための手段】
【００１１】
本願発明では、上記課題を解決するための第１の手段として、所定の間隙を有して並設される多数のフィンと該フィンを貫通する伝熱管とによって構成されたクロスフィンコイル型の熱交換器における前記各フィンの表面に付着した霜を機械的に除去する熱交換器の除霜装置において、前記フィンの間における前縁部から最奥部までの霜を除去できる機械的除霜手段と、該機械的除霜手段を前記フィンの間隙に沿って移動させる駆動手段とによって構成している。
【００１２】
上記のように構成したことにより、機械的除霜手段によりフィンの間における前縁部から最奥部にまで至る霜が除去されることとなり、熱交換器の全面を効果的に除霜することができる。従って、熱交換器の通風性能（換言すれば、熱交換性能）を十分に確保することができる。
【００１３】
本願発明では、さらに、上記課題を解決するための第２の手段として、上記第１の手段を備えた熱交換器の除霜装置において、前記機械的除霜手段を、前記駆動手段により移動される支持体に多数の毛を植生してなるブラシにより構成することもでき、そのように構成した場合、ブラシの毛によってフィンの間における前縁部から最奥部までの霜を除去することができ、簡単な手段により、熱交換器の全面を効果的に除霜することができる。
【００１４】
本願発明では、さらに、上記課題を解決するための第３の手段として、上記第１の手段を備えた熱交換器の除霜装置において、前記機械的除霜手段を、前記駆動手段により移動される支持体に多数のフィン間に入り込み得る厚み・大きさの剛体を植生してなる櫛歯により構成することもでき、そのように構成した場合、櫛歯によってフィンの間における前縁部から最奥部までの霜を除去することができ、簡単な手段により、熱交換器の全面を効果的に除霜することができる。
【００１５】
本願発明では、さらに、上記課題を解決するための第４の手段として、上記第２又は第３の手段を備えた熱交換器の除霜装置において、前記支持体を回転駆動可能な回転体により構成することもでき、そのように構成した場合、支持体を回転駆動させることにより、支持体に植生された毛または櫛歯によってフィンの間における前縁部から最奥部までの霜を除去することができ、簡単な手段により、熱交換器の全面をより効果的に除霜することができる。
【００１６】
本願発明では、さらに、上記課題を解決するための第５の手段として、上記第２又は第３の手段を備えた熱交換器の除霜装置において、前記駆動手段を、前記毛または櫛歯をフィンの間に突き刺すような動作をさせるものとすることもでき、そのように構成した場合、機械的除霜手段を構成する毛または櫛歯をフィンの間に突き刺すことにより、フィンの間における前縁部から最奥部までの霜を除去することができ、簡単な手段により、熱交換器の全面をより一層効果的に除霜することができる。
【００１７】
本願発明では、さらに、上記課題を解決するための第６の手段として、上記第５の手段を備えた熱交換器の除霜装置において、前記伝熱管を、所定間隔で複数列に配列するとともに、前記機械的除霜手段の毛を、複数列熱交換器の最奥部にまで到達する長さとすることもでき、そのように構成した場合、複数列に配列された伝熱管を有する熱交換器においても、フィンの間における前縁部から最奥部までの霜を除去することができ、簡単な手段により、熱交換器の全面をより一層効果的に除霜することができる。
【００１８】
本願発明では、さらに、上記課題を解決するための第７の手段として、上記第４の手段を備えた熱交換器の除霜装置において、前記伝熱管を、所定間隔で一列に配列するとともに、前記機械的除霜手段を構成する回転体の回転速度と、前記駆動手段による移動速度とを同期させるようにすることもでき、そのように構成した場合、機械的除霜手段を構成する回転体の毛または櫛歯がフィン間における伝熱管相互間に入り込み易くなるところから、フィンの間における前縁部から最奥部までの霜を除去することが可能となり、簡単な手段により、熱交換器の全面をより一層効果的に除霜することができる。
【００１９】
本願発明では、さらに、上記課題を解決するための第８の手段として、上記第４又は第７の手段を備えた熱交換器の除霜装置において、前記熱交換器の前面および背面に、前記機械的除霜手段を配設することもでき、そのように構成した場合、熱交換器の前面側および背面側から機械的除霜手段による除霜が可能となるところから、簡単な手段により、熱交換器の全面をより一層効果的に除霜することができる。
【００２０】
本願発明では、さらに、上記課題を解決するための第９の手段として、上記第４、第７又は第８の手段を備えた熱交換器の除霜装置において、前記伝熱管を、所定間隔で二列に配列するとともに、前記機械的除霜手段を構成する回転体の回転速度と前記駆動手段の移動速度との同期速度として、一列目の伝熱管列と二列目の伝熱管列とにそれぞれ同期させるのに必要な角速度の平均値を用いるようにすることもでき、そのように構成した場合、二列に配列された伝熱管を有する熱交換器においても、機械的除霜手段を構成する回転体の毛または櫛歯がフィン間における伝熱管相互間に入り込み易くなるところから、フィンの間における前縁部から最奥部までの霜を除去することができ、簡単な手段により、熱交換器の全面をより一層効果的に除霜することができる。
【００２１】
本願発明では、さらに、上記課題を解決するための第１０の手段として、上記第５、第７又は第８の手段を備えた熱交換器の除霜装置において、前記伝熱管を、所定間隔で一列に配列してなる熱交換器を、所定間隔で複数段設けるとともに、一列熱交換器と機械的除霜手段との組み合わせを複数段設けることもでき、そのように構成した場合、一列熱交換器を、所定間隔で複数段設けていても、一列熱交換器に組み合わされた機械的除霜手段によって各熱交換器の全面除霜が可能となる。
【発明の効果】
【００２２】
本願発明の第１の手段によれば、所定の間隙を有して並設される多数のフィンと該フィンを貫通する伝熱管とによって構成されたクロスフィンコイル型の熱交換器における前記各フィンの表面に付着した霜を機械的に除去する熱交換器の除霜装置において、前記フィンの間における前縁部から最奥部までの霜を除去できる機械的除霜手段と、該機械的除霜手段を前記フィンの間隙に沿って移動させる駆動手段とによって構成して、機械的除霜手段によりフィンの間における前縁部から最奥部にまで至る霜が除去されるようにしたので、熱交換器の全面を効果的に除霜することができることとなり、熱交換器の通風性能（換言すれば、熱交換性能）を十分に確保することができるという効果がある。
【００２３】
本願発明の第２の手段におけるように、上記第１の手段を備えた熱交換器の除霜装置において、前記機械的除霜手段を、前記駆動手段により移動される支持体に多数の毛を植生してなるブラシにより構成することもでき、そのように構成した場合、ブラシの毛によってフィンの間における前縁部から最奥部までの霜を除去することができ、簡単な手段により、熱交換器の全面を効果的に除霜することができる。
【００２４】
本願発明の第３の手段におけるように、上記第１の手段を備えた熱交換器の除霜装置において、前記機械的除霜手段を、前記駆動手段により移動される支持体に多数のフィン間に入り込み得る厚み・大きさの剛体を植生してなる櫛歯により構成することもでき、そのように構成した場合、櫛歯によってフィンの間における前縁部から最奥部までの霜を除去することができ、簡単な手段により、熱交換器の全面を効果的に除霜することができる。
【００２５】
本願発明の第４の手段におけるように、上記第２又は第３の手段を備えた熱交換器の除霜装置において、前記支持体を回転駆動可能な回転体により構成することもでき、そのように構成した場合、支持体を回転駆動させることにより、支持体に植生された毛または櫛歯によってフィンの間における前縁部から最奥部までの霜を除去することができ、簡単な手段により、熱交換器の全面をより効果的に除霜することができる。
【００２６】
本願発明の第５の手段におけるように、上記第２又は第３の手段を備えた熱交換器の除霜装置において、前記駆動手段を、前記毛または櫛歯をフィンの間に突き刺すような動作をさせるものとすることもでき、そのように構成した場合、機械的除霜手段を構成する毛または櫛歯をフィンの間に突き刺すことにより、フィンの間における前縁部から最奥部までの霜を除去することができ、簡単な手段により、熱交換器の全面をより一層効果的に除霜することができる。
【００２７】
本願発明の第６の手段におけるように、上記第５の手段を備えた熱交換器の除霜装置において、前記伝熱管を、所定間隔で複数列に配列するとともに、前記機械的除霜手段の毛または櫛歯を、複数列熱交換器の最奥部にまで到達する長さとすることもでき、そのように構成した場合、複数列に配列された伝熱管を有する熱交換器においても、フィンの間における前縁部から最奥部までの霜を除去することができ、簡単な手段により、熱交換器の全面をより一層効果的に除霜することができる。
【００２８】
本願発明の第７の手段におけるように、上記第４の手段を備えた熱交換器の除霜装置において、前記伝熱管を、所定間隔で一列に配列するとともに、前記機械的除霜手段を構成する回転体の回転速度と、前記駆動手段による移動速度とを同期させるようにすることもでき、そのように構成した場合、機械的除霜手段を構成する回転体の毛または櫛歯がフィン間における伝熱管相互間に入り込み易くなるところから、フィンの間における前縁部から最奥部までの霜を除去することが可能となり、簡単な手段により、熱交換器の全面をより一層効果的に除霜することができる。
【００２９】
本願発明の第８の手段におけるように、上記第４又は第７の手段を備えた熱交換器の除霜装置において、前記熱交換器の前面および背面に、前記機械的除霜手段を配設することもでき、そのように構成した場合、熱交換器の前面側および背面側から機械的除霜手段による除霜が可能となるところから、簡単な手段により、熱交換器の全面をより一層効果的に除霜することができる。
【００３０】
本願発明の第９の手段におけるように、上記第４、第７又は第８の手段を備えた熱交換器の除霜装置において、前記伝熱管を、所定間隔で二列に配列するとともに、前記機械的除霜手段を構成する回転体の回転速度と前記駆動手段の移動速度との同期速度として、一列目の伝熱管列と二列目の伝熱管列とにそれぞれ同期させるのに必要な角速度の平均値を用いるようにすることもでき、そのように構成した場合、二列に配列された伝熱管を有する熱交換器においても、機械的除霜手段を構成する回転体の毛または櫛歯がフィン間における伝熱管相互間に入り込み易くなるところから、フィンの間における前縁部から最奥部までの霜を除去することができ、簡単な手段により、熱交換器の全面をより一層効果的に除霜することができる。
【００３１】
本願発明の第１０の手段におけるように、上記第５、第７又は第８の手段を備えた熱交換器の除霜装置において、前記伝熱管を、所定間隔で一列に配列してなる熱交換器を、所定間隔で複数段設けるとともに、一列熱交換器と機械的除霜手段との組み合わせを複数段設けることもでき、そのように構成した場合、一列熱交換器を、所定間隔で複数段設けていても、一列熱交換器に組み合わされた機械的除霜手段によって各熱交換器の全面除霜が可能となる。
【発明を実施するための最良の形態】
【００３２】
以下、添付の図面を参照して、本願発明を幾つかの好適な実施の形態について説明する。
【００３３】
まず、本願発明の各実施の形態にかかる熱交換器の除霜装置の全体構造について説明する。
【００３４】
この熱交換器の除霜装置Ｘは、図１に示すように、所定の間隙を有して並設される多数のフィン１，１・・と該フィン１，１・・を貫通する伝熱管２とによって構成されたクロスフィンコイル型の熱交換器Ｙに適用されるものとされており、前記フィン１，１・・の間に差し込まれて該フィン１，１・・間の霜を掻き落とす機械的除霜手段３と、該機械的除霜手段３を前記フィン１，１・・の間隙に沿って移動させる駆動手段４とによって構成されている。そして、前記機械的除霜手段３としては、図２に示すように、前記駆動手段４によって移動される支持体５の片面に多数の毛６，６・・を植生した平面ブラシを採用してもよく、図３に示すように、前記駆動手段４によって移動される回転軸７を有する回転体８の周りに多数の毛６，６・・を植生した回転ブラシを採用してもよい。
【００３５】
第１の実施の形態
図４には、本願発明の第１の実施の形態にかかる熱交換器の除霜装置の要部が示されている。
【００３６】
この場合、フィン１の伝熱面は、平板形状とされている。そして、機械的除霜手段３は、駆動手段４により移動される支持体５の片面に多数の毛６，６・・を植生してなる平面ブラシにより構成されており（図２参照）、機械的除霜手段（即ち、平面ブラシ）３の毛６，６・・の長さは、熱交換器の最奥部にまで到達する長さとされている。駆動手段４による機械的除霜手段（即ち、平面ブラシ）３の動きは、図４に矢印で示すように、熱交換器を構成するフィン１，１間に機械的除霜手段（即ち、平面ブラシ）３を構成する毛６，６・・を突き刺す動作の繰返しとなっている。このようにすると、機械的除霜手段（即ち、平面ブラシ）３を構成する毛６，６・・をフィン１，１・・の間に突き刺すことにより、図４に点線楕円で示すように、フィン１，１・・の間における前縁部から最奥部までの霜を除去することができ、簡単な手段により、熱交換器の全面をより一層効果的に除霜することができる。
【００３７】
第２の実施の形態
図５には、本願発明の第２の実施の形態にかかる熱交換器の除霜装置の要部が示されている。
【００３８】
この場合、フィン１の伝熱面は、平板形状とされている。そして、機械的除霜手段３は、駆動手段４により移動される回転体８の周りに多数の毛６，６・・を植生してなる回転ブラシにより構成されており（図３参照）、機械的除霜手段（即ち、回転ブラシ）３の毛６，６・・の長さは、熱交換器の最奥部にまで到達する長さとされている。前記機械的除霜手段（即ち、回転ブラシ）３を構成する回転体８の回転速度と、前記駆動手段４による移動速度とを同期させるようにしている。この場合、回転体８の回転方向は、熱交換器Ｙの前縁側に向かう正回転とされている。このようにすると、図５に点線楕円で示すように、機械的除霜手段（即ち、回転ブラシ）３を構成する回転体８の毛６，６・・がフィン１，１・・間における伝熱管２，２・・相互間に入り込み易くなるところから、フィン１，１・・の間における前縁部から最奥部までの霜を除去することが可能となり、簡単な手段により、熱交換器の全面をより一層効果的に除霜することができる。
【００３９】
比較のために、図６には、機械的除霜手段（即ち、回転ブラシ）３を構成する回転体８の回転速度と、前記駆動手段４による移動速度とを同期させず、回転体８の回転方向を、熱交換器Ｙの前縁側から離れる逆回転とした場合を示す。この場合、図６に点線楕円で示すように、機械的除霜手段（即ち、回転ブラシ）３を構成する回転体８の毛６，６・・が伝熱管２，２・・で曲げられて、フィン１，１・・の最奥部にまで届かず、結果として、フィン１，１・・の後縁部で霜が残ってしまうおそれがある。
【００４０】
第３の実施の形態
図７には、本願発明の第３の実施の形態にかかる熱交換器の除霜装置の要部が示されている。
【００４１】
この場合、フィン１の伝熱面は、平板形状とされ、伝熱管２，２・・は、所定間隔で二列に配列されている。そして、機械的除霜手段３は、駆動手段４により移動される支持体５の片面に多数の毛６，６・・を植生してなる平面ブラシにより構成されており（図２参照）、機械的除霜手段（即ち、平面ブラシ）３の毛６，６・・の長さは、二列熱交換器の最奥部にまで到達する長さとされている。駆動手段４による機械的除霜手段（即ち、平面ブラシ）３の動きは、図７に矢印で示すように、熱交換器を構成するフィン１，１間に機械的除霜手段（即ち、平面ブラシ）３を構成する毛６，６・・を突き刺す動作の繰返しとなっている。このようにすると、二列に配列された伝熱管２，２・・を有する熱交換器Ｙにおいても、フィン１，１・・の間における前縁部から最奥部までの霜を除去することができ、簡単な手段により、熱交換器の全面をより一層効果的に除霜することができる。なお、前記熱交換器Ｙにおける伝熱管２，２・・の配列は、二列に限定されず、二列以上の複数列とすることもできる。その場合においても、機械的除霜手段（即ち、櫛歯）３の毛６，６・・は、複数列熱交換器の最奥部にまで到達する長さとされる。
【００４２】
第４の実施の形態
図８には、本願発明の第４の実施の形態にかかる熱交換器の除霜装置の要部が示されている。
【００４３】
この場合、フィン１の伝熱面は、平板形状とされ、伝熱管２，２・・は、所定間隔で一列に配列されている。そして、機械的除霜手段３は、駆動手段４により移動される支持体５は、回転軸７を有する回転体とされており、該回転体の外周には、多数の櫛歯９，９・・が放射状に形成されている。つまり、この場合、機械的除霜手段３は、回転櫛歯とされているのである。機械的除霜手段（即ち、回転櫛歯）３の櫛歯９，９・・は、フィン１，１間に入り込み得る厚み・大きさの剛体からなっており、その長さは、熱交換器の最奥部にまで到達する長さとされている。そして、前記機械的除霜手段（即ち、回転櫛歯）３を構成する支持体５（即ち、回転体）の回転速度と、前記駆動手段４による移動速度とを同期させるようにしている。この場合、支持体５（即ち、回転体）の回転方向は、熱交換器Ｙの前縁側に向かう正回転とされている。このようにすると、機械的除霜手段（即ち、回転櫛歯）３を構成する支持体５（即ち、回転体）の櫛歯９，９・・がフィン１，１・・間における伝熱管２，２・・相互間に入り込み易くなるところから、フィン１，１・・の間における前縁部から最奥部までの霜を除去することが可能となり、簡単な手段により、熱交換器の全面をより一層効果的に除霜することができる。
【００４４】
第５の実施の形態
図９には、本願発明の第５の実施の形態にかかる熱交換器の除霜装置の要部が示されている。
【００４５】
この場合、フィン１の伝熱面は、平板形状とされ、伝熱管２，２・・は、所定間隔で二列に配列されている。そして、機械的除霜手段３は、駆動手段４により移動される回転体８の周りに多数の毛６，６・・を植生してなる回転ブラシにより構成されている（図３参照）。機械的除霜手段（即ち、回転ブラシ）３の毛６，６・・の長さは、熱交換器Ｙの最奥部にまで到達する長さとされている。この場合、機械的除霜手段（即ち、回転ブラシ）３の中心Ｏから前側の伝熱管列の中心Ｏ′までの距離Ｄ１と機械的除霜手段（即ち、回転ブラシ）３の中心Ｏから後側の伝熱管列の中心Ｏ″までの距離Ｄ２とが相異しているので、同じ回転速度では、両方の伝熱管列に同期させることが難しい。そこで、本実施の形態においては、機械的除霜手段（即ち、回転ブラシ）３の回転速度として、一列目の伝熱管列と二列目の伝熱管列とにそれぞれ同期させるのに必要な角速度の平均値を用いるようにしている。この場合、回転体８の回転方向は、熱交換器Ｙの前縁側に向かう正回転とされている。このようにすると、二列に配列された伝熱管２，２・・を有する熱交換器Ｙにおいても、機械的除霜手段（即ち、回転ブラシ）３を構成する回転体８の毛６，６・・がフィン１，１・・間における伝熱管２，２・・相互間に入り込み易くなるところから、フィン１，１・・の間における前縁部から最奥部までの霜を除去することができ、簡単な手段により、熱交換器の全面をより一層効果的に除霜することができる。
【００４６】
第６の実施の形態
図１０には、本願発明の第６の実施の形態にかかる熱交換器の除霜装置の要部が示されている。
【００４７】
この場合、フィン１の伝熱面は平板形状とされ且つフィンピッチはなるべく広くする。伝熱管２，２・・は、所定間隔で二列に配列されている。そして、機械的除霜手段３は、駆動手段４により移動される回転体８の周りに多数の毛６，６・・を植生してなる回転ブラシにより構成されている（図３参照）。この場合、熱交換器Ｙにおける室外機の内側（即ち、風下側）と室外機の外側（即ち、風上側）とに機械的除霜手段（即ち、回転ブラシ）３，３′が配設されている。また、この場合、室外機内（即ち、風下側）に配置される機械的除霜手段（即ち、回転ブラシ）３の回転速度として、第５の実施の形態におけると同様に、一列目の伝熱管列と二列目の伝熱管列とにそれぞれ同期させるのに必要な角速度の平均値を用いるようにしており、機械的除霜手段（即ち、回転ブラシ）３における回転体８の回転方向は、熱交換器Ｙの前縁側に向かう正回転とされている。また、回転体８に植生される毛６，６・・の長さは、二列目の伝熱管列の外側に達する長さとされている。一方、室外機外（即ち、風上側）に配置される機械的除霜手段（即ち、回転ブラシ）３′における回転体８′の回転方向は、熱交換器Ｙの後縁側（即ち、風上側）から離れる方向への逆回転とされており、機械的除霜手段（即ち、回転ブラシ）３′における毛６′，６′・・の長さは、二列目の伝熱管列の中心を少し超える長さとされている。このようにすると、二列に配列された伝熱管２，２・・を有する熱交換器Ｙにおいても、風上側に配設された機械的除霜手段（即ち、回転ブラシ）３を構成する回転体８の毛６，６・・がフィン１，１・・間における伝熱管２，２・・相互間に入り込み易くなるところから、フィン１，１・・の間における前縁部から二列目の伝熱管列までの霜を除去することができる。しかも、風下側に配設された逆回転する機械的除霜手段（即ち、回転ブラシ）３′により、霜は熱交換器Ｙの外にかき出されることとなる。従って、取った霜のファンへの付着を防止することもできることとなる。上記したように、簡単な手段により、熱交換器の全面をより一層効果的に除霜することができる。
【００４８】
第７の実施の形態
図１１には、本願発明の第７の実施の形態にかかる熱交換器の除霜装置の要部が示されている。
【００４９】
この場合、フィン１の伝熱面は平板形状とされ且つフィンピッチはなるべく広くする。伝熱管２，２・・は、所定間隔で一列に配列されている。そして、機械的除霜手段３は、駆動手段４により移動される回転体８の周りに多数の毛６，６・・を植生してなる回転ブラシにより構成されている（図３参照）。この場合、熱交換器Ｙにおける室外機の内側（即ち、風下側）と室外機の外側（即ち、風上側）とに同一構造の機械的除霜手段（即ち、回転ブラシ）３，３が配設されている。そして、この場合、各機械的除霜手段（即ち、回転ブラシ）３における回転体８の回転方向は、熱交換器Ｙから離れる方向への逆回転とされており、各機械的除霜手段（即ち、回転ブラシ）３における毛６，６・・の長さは、伝熱管列の中心を少し超える長さとされている。このようにすると、逆回転する機械的除霜手段（即ち、回転ブラシ）３，３により、霜は熱交換器Ｙの外にかき出されることとなる。従って、取った霜のファンへの付着を防止することもできることとなる。上記したように、簡単な手段により、熱交換器の全面を効果的に除霜することができる。
【００５０】
第８の実施の形態
図１２には、本願発明の第８の実施の形態にかかる熱交換器の除霜装置の要部が示されている。
【００５１】
この場合、フィン１の伝熱面は平板形状とされ且つフィンピッチはなるべく広くする。また、この場合、伝熱管２，２・・を一列に配列した一列熱交換器Ｙ、Ｙを所定間隔をおいて二段配置としている。そして、一段目の熱交換器Ｙの風下側と、二段目の熱交換器Ｙの風上側とには、同一構造の機械的除霜手段３，３が配設されている。各機械的除霜手段３は、駆動手段４により移動される回転体８の周りに多数の毛６，６・・を植生してなる回転ブラシにより構成されている（図３参照）。そして、各機械的除霜手段（即ち、回転ブラシ）３における毛６，６・・の長さは、各熱交換器Ｙの最奥部にまで到達する長さとされている。また、両方の機械的除霜手段（回転ブラシ）３，３の回転速度は、前記駆動手段４による移動速度とを同期させるようにしている。この場合、機械的除霜手段（回転ブラシ）３，３における回転体８，８の回転方向は、熱交換器Ｙの前縁側に向かう正回転とされている。つまり、各熱交換器Ｙにおいて、第２の実施の形態におけると同様の機械的除霜手段（即ち、回転ブラシ）３を組み合わせることとなっているのである。このようにすると、一列熱交換器Ｙ，Ｙを、所定間隔で二段設けていても、一列熱交換器Ｙに組み合わされた機械的除霜手段３によって各熱交換器Ｙの全面除霜が可能となる。しかも、本実施の形態の場合、両熱交換器Ｙ，Ｙから除去された霜は、熱交換器Ｙ，Ｙの間の隙間を介して下方に落下することとなる。
【００５２】
本願発明は、上記各実施の形態に限定されるものではなく、発明の要旨を逸脱しない範囲において適宜設計変更可能なことは勿論である。
【図面の簡単な説明】
【００５３】
【図１】本願発明の各実施の形態にかかる熱交換器の除霜装置を示す正面図である。
【図２】本願発明の各実施の形態にかかる熱交換器の除霜装置を構成する機械的除霜手段の一例の要部を示す斜視図である。
【図３】本願発明の各実施の形態にかかる熱交換器の除霜装置を構成する機械的除霜手段の他の一例の要部を示す斜視図である。
【図４】本願発明の第１の実施の形態にかかる熱交換器の除霜装置を示す要部拡大断面図である。
【図５】本願発明の第２の実施の形態にかかる熱交換器の除霜装置を示す要部拡大断面図である。
【図６】比較例である熱交換器の除霜装置を示す要部拡大断面図である。
【図７】本願発明の第３の実施の形態にかかる熱交換器の除霜装置を示す要部拡大断面図である。
【図８】本願発明の第４の実施の形態にかかる熱交換器の除霜装置を示す要部拡大断面図である。
【図９】本願発明の第５の実施の形態にかかる熱交換器の除霜装置を示す要部拡大断面図である。
【図１０】本願発明の第６の実施の形態にかかる熱交換器の除霜装置を示す要部拡大断面図である。
【図１１】本願発明の第７の実施の形態にかかる熱交換器の除霜装置を示す要部拡大断面図である。
【図１２】本願発明の第８の実施の形態にかかる熱交換器の除霜装置を示す要部拡大断面図である。
【図１３】クロスフィンコイル型の熱交換器における着霜のメカニズムを説明した説明図である。
【符号の説明】
【００５４】
１はフィン
２は伝熱管
３は機械的除霜手段（平面ブラシ、回転ブラシ、回転櫛歯）
４は駆動手段
５は支持体
６は毛
８は回転体
９は櫛歯
Ｙは熱交換器
【図１】
2010084985.tif 000003
【図２】
2010084985.tif 000004
【図３】
2010084985.tif 000005
【図４】
2010084985.tif 000006
【図５】
2010084985.tif 000007
【図６】
2010084985.tif 000008
【図７】
2010084985.tif 000009
【図８】
2010084985.tif 000010
【図９】
2010084985.tif 000011
【図１０】
2010084985.tif 000012
【図１１】
2010084985.tif 000013
【図１２】
2010084985.tif 000014
【図１３】
2010084985.tif 000015